(57)【要約】【課題】ユーザが所望の時刻を示す位置へ複数の指針を早送り移動させる際のユーザの負担を軽減することができるアナログ電子時計を提供する。【解決手段】複数の指針と、輪列機構を介してこの複数の指針を回動させる駆動手段と、ユーザによる入力操作を受け付ける操作手段と、入力操作に応じて駆動手段に駆動制御信号を出力し、複数の指針のうち、所定の一の指針を回動させる第１時刻変更制御手段と、この一の指針が指し示す位置に応じた設定時刻を取得する設定時刻取得手段と、複数の指針のうち、時刻の表示に用いられる複数の時刻指針を設定時刻に係る指示位置まで連続的に早送り移動させる早送り制御手段と、力操作に応じて駆動手段に駆動制御信号を出力し、時刻指針を回動させる第２時刻変更制御手段と、を備える。【選択図】図３
2013253786.tif 000002
【特許請求の範囲】
【請求項１】
複数の指針と、
輪列機構を介して当該複数の指針を回動させる駆動手段と、
ユーザによる入力操作を受け付ける操作手段と、
前記操作手段により受け付けられた入力操作に応じて前記駆動手段に駆動制御信号を出力し、前記複数の指針のうち、所定の一の指針を回動させる第１時刻変更制御手段と、
前記一の指針が指し示す位置に応じた設定時刻を取得する設定時刻取得手段と、
前記複数の指針のうち、時刻の表示に用いられる複数の時刻指針を前記設定時刻に係る指示位置まで連続的に早送りで回動させる早送り制御手段と、
前記操作手段により受け付けられた入力操作に応じて前記駆動手段に駆動制御信号を出力し、前記時刻指針を回動させる第２時刻変更制御手段と
を備えることを特徴とするアナログ電子時計。
【請求項２】
前記第２時刻変更制御手段は、前記操作手段が所定の入力操作を受け付けるごとに、前記時刻指針を予め設定された時間ずつ早送り移動させる
ことを特徴とする請求項１記載のアナログ電子時計。
【請求項３】
前記駆動手段は、前記複数の指針を所定の単位角度ずつ回動させ、
前記第２時刻変更制御手段が前記時刻指針により表示が可能な時刻の時間間隔は、前記設定時刻取得手段が前記設定時刻として設定可能な時刻の時間間隔より小さい
ことを特徴とする請求項１又は２記載のアナログ電子時計。
【請求項４】
前記輪列機構は、前記複数の指針のうち、各々異なる時刻単位の値を指し示す少なくとも二本の時刻指針を互いに連動させる構成を含み、
前記一の指針は、他の指針と連動せずに独立に回動する指針のうち何れかである
ことを特徴とする請求項１〜３の何れか一項に記載のアナログ電子時計。
【請求項５】
前記一の指針は、前記連動して回動される時刻指針の何れよりも大きい時刻単位の値を示す時刻指針である
ことを特徴とする請求項４記載のアナログ電子時計。
【請求項６】
前記連動して回動される時刻指針は、分針及び秒針であり、
前記一の指針は、時針である
ことを特徴とする請求項５記載のアナログ電子時計。
【請求項７】
前記設定時刻取得手段は、前記一の指針が所定時間移動されなかった場合には、当該一の指針の指示位置に応じて前記設定時刻を取得する
ことを特徴とする請求項１〜６の何れか一項に記載のアナログ電子時計。
【請求項８】
複数の指針と、
当該複数の指針のうち、各々異なる時刻単位の値を指し示す少なくとも二本の時刻指針を互いに連動させる構成を含む輪列機構を介して前記複数の指針を回動させる駆動手段と、
ユーザによる入力操作を受け付ける操作手段と、
前記操作手段により受け付けられた入力操作に応じて前記駆動手段に駆動制御信号を出力し、前記連動して回動される時刻指針を移動させる第３時刻変更制御手段と、
当該連動して回動される時刻指針のうち、最も小さい時刻単位を示す指針が指し示す位置に応じた設定時刻を取得する設定時刻取得手段と、
前記複数の指針のうち、時刻の表示に用いられる複数の時刻指針を前記設定時刻に係る指示位置まで連続的に早送りで回動させる早送り制御手段と、
前記操作手段により受け付けられた入力操作に応じて前記駆動手段に駆動制御信号を出力し、前記時刻指針を回動させる第２時刻変更制御手段と
を備えることを特徴とするアナログ電子時計。
【発明の詳細な説明】
【技術分野】
【０００１】
この発明は、複数の指針を用いて時刻を表示するアナログ電子時計に関する。
【背景技術】
【０００２】
従来、時針、分針、及び、秒針といった複数の指針をステッピングモータにより輪列機構を介して各々、又は、連動して回転移動させ、当該複数の指針が指し示す位置の組み合わせにより時刻を表示するアナログ電子時計がある。アナログ電子時計では、多くの場合、時針及び分針は、実際の時及び分だけではなく、より細かいステップ、例えば、それぞれ２分単位及び１０秒単位で各々異なる位置を指し示す。
【０００３】
アナログ電子時計において、ユーザが手動で現在時刻やアラーム設定時刻といった表示時刻の変更を行う場合には、ユーザは、ボタン操作やりゅうずの回転操作を行うことで、現在時刻や現在のアラーム設定時刻を示す位置から他の時刻を示す位置に指針を移動させる。このようなアナログ電子時計は、所定のボタン操作やりゅうずの回転操作が行われることで、指針を連続的に早送りさせる機能を有している。この早送り動作は、ユーザによる所定の停止操作により停止される。
【０００４】
一方、アラーム報知機能を有するアナログ時計において、従来、一本の目安針を用い、この目安針の位置に対応したアラーム時刻に報知動作を行う目安機構を備えたものがある。特許文献１には、この報知動作の検査の際に、目安針により設定されたアラーム時刻の数秒前まで時刻を表す各指針を早送り移動させ、その後通常の動作速度に落として指針を移動させることで、指針位置と報知動作のタイミングのずれを検査する技術が開示されている。また、特許文献２には、指針を所定の基準位置に早送り移動させる際に、当該基準位置の近傍に目安針を用いた位置検出機構を設定して当該位置まで早送りをさせた後に、正確な位置まで手動で動作させることで、目安針による設定時刻の機械的誤差に対応させる技術が開示されている。
【先行技術文献】
【特許文献】
【０００５】
【特許文献１】特開２００２−３２３５７９号公報
【特許文献２】特開２００４−３５４３４９号公報
【発明の概要】
【発明が解決しようとする課題】
【０００６】
しかしながら、アナログ電子時計において、ユーザが時刻の修正やアラーム時刻の設定を行う際に、ユーザが指針を連続的な早送りにより所望の位置に移動させようとすると、今度は、ユーザは、連続的な早送りを適切な位置で中止させないといけない。このとき、細かいステップで動作する指針の早送りには、時間を要する。即ち、複数の指針を独立して移動可能なアナログ時計では、ユーザは、当該複数回時間をかけて指針位置を確認する作業が必要となり、また、複数の指針が連動して移動するアナログ時計では、最小時刻単位の指針の表示ステップに応じて更に長い時間の確認作業が必要となることで、ユーザに負担がかかるという課題があった。
【０００７】
この発明の目的は、ユーザが所望の時刻を示す位置へ複数の指針を早送り移動させる際のユーザの負担を軽減することができるアナログ電子時計を提供することにある。
【課題を解決するための手段】
【０００８】
本発明は、上記目的を達成するため、
複数の指針と、
輪列機構を介して当該複数の指針を回動させる駆動手段と、
ユーザによる入力操作を受け付ける操作手段と、
前記操作手段により受け付けられた入力操作に応じて前記駆動手段に駆動制御信号を出力し、前記複数の指針のうち、所定の一の指針を回動させる第１時刻変更制御手段と、
前記一の指針が指し示す位置に応じた設定時刻を取得する設定時刻取得手段と、
前記複数の指針のうち、時刻の表示に用いられる複数の時刻指針を前記設定時刻に係る指示位置まで連続的に早送りで回動させる早送り制御手段と、
前記操作手段により受け付けられた入力操作に応じて前記駆動手段に駆動制御信号を出力し、前記時刻指針を回動させる第２時刻変更制御手段と
を備えることを特徴とするアナログ電子時計である。
【発明の効果】
【０００９】
本発明に従うと、アナログ電子時計において、ユーザが所望の時刻を示す位置へ複数の指針を早送り移動させる際のユーザの負担を軽減することができるという効果がある。
【図面の簡単な説明】
【００１０】
【図１】本発明の実施形態のアナログ電子時計を示す正面図である。
【図２】アナログ電子時計の内部構成を示すブロック図である。
【図３】ＣＰＵによる表示時刻設定処理の制御手順を示すフローチャートである。
【図４】表示時刻設定処理における表示の変化例を示す図である。
【図５】表示時刻設定処理における表示の変化例を示す図である。
【発明を実施するための形態】
【００１１】
以下、本発明の実施の形態を図面に基づいて説明する。
図１は、本発明の実施形態のアナログ電子時計１の正面図である。
【００１２】
本実施形態のアナログ電子時計１は、３本の指針２〜４（時刻指針）と１枚の回転可能な文字盤（日車５）とにより時刻及び日付を表示可能な電子腕時計である。このアナログ電子時計１は、ケーシング６と、文字盤７と、前面を覆う図示略の風防ガラスとの間に、時針２と、分針３と、秒針４とが設けられている。これら時針２、分針３、及び、秒針４は、文字盤７の中央を貫く回転軸に対し、文字盤７と平行な面内で回転可能に配置される。
【００１３】
文字盤７の４時方向には、小窓８が設けられている。また、文字盤７の裏には、文字盤７と平行に日車５が配置されている。この日車５は、指針２〜４と同一の回転軸の周りを回転可能に配置された回転円板である。日車５の表面には、日付を示す１〜３１の標識が環状に設けられ、何れかの標識が小窓８から選択的に露出される。小窓８は、露出される標識が判別可能であればよく、開口部であっても良いし、ガラスやアクリルなどの透明部材で覆われていても良い。
ケーシング６の側面には、押しボタンＢ１、Ｂ２と、りゅうずＣ１とがケーシング６の内部と外部とを貫通して設けられている。
【００１４】
図２は、本実施形態のアナログ電子時計１の内部構成を示すブロック図である。
【００１５】
このアナログ電子時計１は、輪列機構３２、３３、３５と、輪列機構３２を介して時針２を回動させるステッピングモータ４２と、輪列機構３３及びこの輪列機構３３を介し、分針３及び秒針４をそれぞれ連動して回動させるステッピングモータ４３と、輪列機構３５を介して日車５を回動させるステッピングモータ４５と、ＣＰＵ（Central Processing Unit）４６（設定時刻取得手段）と、ＲＯＭ（Read Only Memory）４７と、ＲＡＭ（Random Access Memory）４８と、駆動回路４９と、電源部５０と、発振回路５１と、分周回路５２と、計時回路５３と、操作部５４（操作手段）と、ピエゾ素子５６（圧電素子）と、ピエゾ素子を駆動するドライバ５５などを備えている。
【００１６】
ＣＰＵ４６は、各種演算処理を行い、また、アナログ電子時計１の全体動作を制御統括する。また、ＣＰＵ４６は、駆動回路４９に対し、後述する適宜なタイミングで指針２〜４及び日車５をそれぞれ運針させる命令を出力する。
【００１７】
ＲＡＭ４８は、ＣＰＵ４６に作業用のメモリ空間を提供し、種々の一時データを記憶する。
ＲＯＭ４７は、ＣＰＵ４６が実行する各種プログラムや、各種プログラムの初期設定データを格納する。これらの各種プログラムや初期設定データは、アナログ電子時計１の起動時、又は、必要に応じて随時、ＣＰＵ４６により読み出され、ＲＡＭ４８上に展開されて実行、利用される。
なお、ＲＯＭ４７は、書き換え可能なフラッシュメモリやＥＥＰＲＯＭ（Electrically Erasable and Programmable Read Only Memory）といった種々の不揮発性メモリであっても良く、或いは、ＲＯＭ及び不揮発性メモリの両方であっても良い。
【００１８】
駆動回路４９は、ＣＰＵ４６から入力された指針２〜４の運針命令や日車５の回転移動命令を含む制御信号に基づいて、ステッピングモータ４２、４３、４５に対し、適切なタイミングで各々設定された電圧及びパルス幅の駆動パルス（駆動制御信号）を出力する。
ＣＰＵ４６と駆動回路４９とにより、第１時刻変更制御手段、第２時刻変更制御手段、第３時刻変更制御手段、及び、早送り制御手段が構成される。
【００１９】
電源部５０は、ＣＰＵ４６に対し、動作に必要な電力を供給する。この電源部５０は、特には限られないが、例えば、太陽電池と二次電池とを組み合わせて、長期的且つ安定的な電力供給を可能としたものである。また、電源部５０は、ＣＰＵ４６を介して、又は、図示略の回路により直接、他の各部に電力を供給する。
【００２０】
発振回路５１は、所定の周波数信号を生成して分周回路５２に出力する。分周回路５２は、発振回路５１から入力された周波数信号を分周し、ＣＰＵ４６からの制御信号により設定された周波数の信号を生成してＣＰＵ４６に出力する。また、分周回路５２は、予め定められた周波数信号（例えば、１秒信号）を生成して計時回路５３に出力する。計時回路５３は、入力された周波数信号をカウントして時刻を計数するカウンタである。
【００２１】
ピエゾ素子５６は、ドライバ５５から所定の電圧信号が入力されることでブザー音を発生する。ドライバ５５は、ＣＰＵ４６から入力された制御信号に基づいて、ピエゾ素子５６からブザー音を出力させるための電圧信号を出力する。アナログ電子時計１では、このブザー音が、例えば、アラーム機能に利用され、設定された時刻にブザー音を発生させることが可能となっている。なお、アラーム報知動作に係る構成は、ピエゾ素子に限られない。例えば、振動モータを用いて振動による報知を行うものや、複数の報知動作を組み合わせたものであってもよい。
【００２２】
ステッピングモータ４２、４３、４５（駆動手段）は、それぞれ駆動回路４９から入力される駆動パルスの電圧波形に基づいてステップ駆動されて、時針２、秒針４、及び、日車５をそれぞれ正転方向又は逆転方向に所定の角度ずつ回転移動させることが可能となっている。ここで、分針３は、輪列機構３３を介して秒針４に連動して運針される。本実施形態のアナログ電子時計１では、秒針４が１ステップ当たり６度の回転（単位角度）で運針され、秒針４が１０ステップ６０度回転するごとに分針３が１ステップ１度の回転で運針される構成となっている。時針２は、１ステップ当たり１度の回転で、秒針４及び分針３とは独立に運針される。即ち、時針２は、２分単位（時刻単位）で時の値を示し、分針３は、１０秒単位で分の値を示し、秒針４は、１秒単位で秒の値を示す。また、日車５は、例えば、４６５０ステップの移動で一周する構成となっており、日付が変化すると、所定のタイミングで連続して１５０ステップの移動が行われ、小窓８から露出される標識が変化する。
【００２３】
操作部５４は、ユーザによる外部からの操作を受け付ける。即ち、操作部５４は、入力操作を検出し、電気信号に変換して入力信号としてＣＰＵ４６に出力する。この操作部５４には、押しボタンＢ１、Ｂ２やりゅうずＣ１が含まれる。押しボタンＢ１、Ｂ２の押下操作、若しくは、りゅうずＣ１の引き出し動作及び回転操作、又は、これらの操作の組み合わせにより、アナログ電子時計１では、各指針２〜４の指示位置、及び、日車５の表面に設けられた標識の位置を移動させることが可能となっている。また、このアナログ電子時計１には、りゅうずＣ１が引き出された状態（引き状態）で所定の時間内に基準角度（例えば、１８０度）以上回転操作された場合に、設定された指針を所定の早送り速度で連続的に正転早送りさせる連続早送り機能が備えられている。この連続早送りは、りゅうずＣ１が反対方向に１ステップ回転操作されることで中止されるようになっている。ユーザは、操作部５４への入力操作により、現在時刻を修正したり、世界各地の地方時を表示させたり、アラーム時刻の設定やストップウォッチ機能に切り替えてアナログ電子時計１を利用したりすることができる。
【００２４】
次に、本実施形態のアナログ電子時計１を用いた表示時刻修正動作について説明する。
図３は、本実施形態のアナログ電子時計１において、ＣＰＵ４６が実行する表示時刻設定処理の制御手順を示すフローチャートである。
【００２５】
本実施形態のアナログ電子時計１において、この表示時刻設定処理は、通常行われる表示時刻変更処理の特殊モードとして呼び出されて実行される。例えば、りゅうずＣ１を引き出して表示時刻変更処理に入った段階で、更に、ボタンＢ２が押下されることで、この表示時刻設定処理が呼び出される。表示時刻設定処理が呼び出されると、ＣＰＵ４６は、先ず、りゅうずＣ１の回転動作が検出されたか否かを判別する（ステップＳ２１）。回転動作が検出されていないと判別された場合には、ＣＰＵ４６の処理は、そのままステップＳ２４の処理に移行する。
【００２６】
りゅうずＣ１の回転動作が検出されたと判別された場合には、ＣＰＵ４６は、次に、検出された回転動作量に対応して時針２を回転移動させるための制御信号を駆動回路４９に出力する（ステップＳ２２）。このとき、ＣＰＵ４６は、所定時間内におけるりゅうずＣ１の合計回転角度を算出し、合計回転角度が１８０度以上である場合には、通常と同様に、時針２を所定の移動速度（例えば、６４ｐｐｓ（pulse per second））で連続移動させる。
【００２７】
時針２の移動動作が終了したタイミングで、ＣＰＵ４６は、待機時間の計数を開始する（ステップＳ２３）。それから、ＣＰＵ４６は、計数された待機時間が予め設定された時間以上であるか否かを判別する（ステップＳ２４）。待機時間が設定時間未満であると判別された場合には、ＣＰＵ４６の処理は、ステップＳ２９に移行する。待機時間が設定時間以上であると判別された場合には、ＣＰＵ４６は、移動後の時針２の位置により示される設定時刻を取得する（ステップＳ２５）。それから、ＣＰＵ４６は、元の表示時刻とこの取得された設定時刻との時間差のうち、分及び秒の部分を算出し、当該設定時刻に係る分及び秒の表示位置まで分針３及び秒針４を移動させるために必要な駆動パルスの出力数を算出する（ステップＳ２６）。ＣＰＵ４６は、駆動回路４９に対し、ステッピングモータ４３へ当該出力数だけ駆動パルスを出力させる制御信号を送信する（ステップＳ２７）。
【００２８】
分針３及び秒針４が設定時刻の分秒位置に移動すると、ＣＰＵ４６は、計数していた待機時間をリセットする（ステップＳ２８）。それから、ＣＰＵ４６の処理は、ステップＳ２９に移行する。
【００２９】
ステップＳ２９の処理では、ＣＰＵ４６は、ボタンＢ２の押下操作が検出されたか否かを判別する。検出されていないと判別された場合には、ＣＰＵ４６の処理は、そのままステップＳ３１に移行する。
【００３０】
一方、ボタンＢ２の押下操作が検出されたと判別された場合には、ＣＰＵ４６は、駆動回路４９からステッピングモータ４３に６０回駆動パルスを出力させて、秒針４を文字盤７上で一周移動させ、また、これに伴って分針３を１分移動させる（ステップＳ３０）。それから、ＣＰＵ４６の処理は、ステップＳ３１に移行する。
【００３１】
ステップＳ３１の処理に移行すると、ＣＰＵ４６は、引き状態のりゅうずＣ１が押し戻されたか否かを判別する。りゅうずＣ１が押し戻されていないと判別された場合には、ＣＰＵ４６の処理は、ステップＳ２１に戻り、上記の処理を繰り返す。りゅうずＣ１が押し戻されたと判別された場合には、ＣＰＵ４６は、表示時刻設定処理を終了する。
【００３２】
図４及び図５には、上記の表示時刻設定処理により表示時刻が変更される場合の表示状態の変化の例を示す具体例を示す。
【００３３】
ここでは、図１で示した１０時８分３６秒の表示位置から１０時４９分０秒の表示位置に指針２〜４を移動させる場合について説明する。
先ず、りゅうずＣ１が引き状態でボタンＢ２が押下されると、表示時刻設定処理が開始される。りゅうずＣ１が回転されると、当該回転に応じて時針２が移動する（ステップＳ２１、Ｓ２２）。ここで、時針２は、２分間隔で表示が行われる設定なので、直接１０時４９分を指定することができない。そこで、ユーザは、近接する表示可能時刻、例えば、図４（ａ）に示すように、１０時４８分の位置へ時針２を移動させる。
【００３４】
１０時４８分の位置への時針２の移動が終了すると、ＣＰＵ４６により待機時間が計数される（ステップＳ２３）。そして、設定時間が経過すると（ステップＳ２４）、時針２の位置合わせが終了したものとして、ＣＰＵ４６は、時針２の位置から設定時刻、即ち、１０時４８分を取得する（ステップＳ２５）。また、分針３及び秒針４の現在位置（８分３６秒）から設定時刻までの時間差（３９分２４秒）に基づいて、移動ステップ数を算出する（ステップＳ２６）。移動ステップ数は、時間差の秒数と等しいので、ここでは、３９×６０＋２４＝２３７６ステップとなる。移動ステップ数が算出されると、ＣＰＵ４６は駆動回路４９に制御信号を送って秒針４及び分針３を早送り移動させる（ステップＳ２７）。これにより、秒針４が文字盤７上で３９周し、また、分針３が２３４度回転して１０時４７分３６秒の位置に到達した後、更に、秒針４が２４ステップ移動し、また、分針３が３ステップ移動して停止する。この結果、図４（ｂ）に示すように、分針３が４８分０秒の位置に移動し、また、秒針４が０秒の位置に移動する。指針の早送り速度が６４ｐｐｓであるとすると、この２３７６ステップの早送りには、約３７秒を要するが、分針３及び秒針４は、設定位置で自動的に停止する。
【００３５】
続いて、ボタンＢ２が１回押下されることで（ステップＳ２９）、時刻が１分間早送りされる（ステップＳ３０）。即ち、秒針４が１周すると共に、分針３が６ステップ１分進む。これにより、図５（ａ）に示すように、表示時刻が１０時４９分０秒となる。
【００３６】
最後に、図５（ｂ）に示すように、りゅうずＣ１が押し戻されることで（ステップＳ３１）、表示時刻設定処理が終了する。
【００３７】
ここで、ユーザが１０時４６分の位置に時針２を移動させて分針３及び秒針４を早送りさせた場合には、ユーザは、更に、時針２を１ステップ移動させても良いし、ボタンＢ２を３回押下することとしても良い。なお、ボタンＢ２を２回以上押下した場合には、対応する時針２の位置もずれることになるので、偶数回目にボタンＢ２が押下される毎に、又は、りゅうずＣ１が押し戻された際に、ＣＰＵ４６は、時針２の位置を修正する。
【００３８】
以上のように、本実施形態のアナログ電子時計１は、指針２〜４と、輪列機構３２、３３を介してこれらの指針を回転移動させる駆動回路４９と、ＣＰＵ４６とを備える。指針２〜４のうち、分針３及び秒針４は、輪列機構３３を介して連動してステッピングモータ４３により駆動され、また、時針２は、独立に輪列機構３２を介してステッピングモータ４２により駆動される。このアナログ電子時計１において、りゅうずＣ１が引き状態でボタンＢ２が押下されることで、時刻の特殊設定モードとなり、りゅうずＣ１の回転操作により時針２のみが回転されてユーザ所望の時分を示す位置又はその近傍に移動される。この状況で静止させたまま所定の時間が経過すると、ＣＰＵ４６は、この時針２が示す時刻まで分針３及び秒針４を連動して回転移動させた後に停止させる。ユーザは、その後、必要に応じて分針３及び秒針４を回転させることで、正確に所望の時刻まで移動させることができる。このように、一本の時針２のみによっておおよその時刻に自動的に移動させて停止させることで、ユーザによるその後の各指針２〜４の動作量を低減させることができる。
【００３９】
また、所望の位置近傍まで指針２〜４を早送りさせた後に自動で停止させるので、ユーザが早送り中の確認を続ける必要がない。また、早送り中の確認を怠った結果、指針が所望の位置を通り過ぎてしまう事態を避けることができる。
【００４０】
また、指針２〜４を所望の位置近傍に移動させた後、ボタンＢ２を一回押下することで更に１分自動的に早送りして進めることが出来るので、１分単位で正確に時刻の調整を行う場合にも同様に早送り中の確認を行う必要がない。
【００４１】
また、時針２を用いて２分単位で時刻変更をした後に、分針３及び秒針４を移動させて正確な時刻調整を行うので、最初の時刻変更時に要する時間や手間を低減することが出来る。
【００４２】
また、特に、分針３と秒針４とが連動して回転する構成のアナログ電子時計１では、分針３の早送りに特に長い時間を要することになるので、早送り中の確認動作によるユーザの負担を大きく低減させることができる。
【００４３】
また、秒の値を示す秒針４や分の値を示す分針３よりも先に、時の値を示す時針２を所望の位置近辺に移動させるので、その後、時針２を再度大きく移動させる必要がなく、従って、ユーザの労力、時間、及び、アナログ電子時計１の電力消費を節約することができる。
【００４４】
特に、通常アナログ時計で用いられる時針２の位置に基づいて分針３及び秒針４をおおよその位置まで早送り移動させるので、時針２の位置を感覚的に設定しても容易に近い時刻を示す位置まで分針３を移動させることができる。
【００４５】
また、時針２を所望の時刻付近に移動させて静止した後に所定の時間が経過すると、自動的に分針３及び秒針４の早送り動作が開始されるので、時刻あわせが二段階になることによるボタンの押下などの追加の処理を減らすことができる。
【００４６】
一方で、連動して回転する指針の中で最も小さい表示単位の値を示す指針（ここでは秒針４）を回転させておおよその時刻を設定することで、同様に、分針３の移動に要する時間に亘りユーザが指針の早送りを確認し続ける労力を省くことができる。
【００４７】
なお、本発明は、上記実施の形態に限られるものではなく、様々な変更が可能である。
例えば、上記実施の形態では、時針２による設定時刻へ分針３及び秒針４を早送りさせた後、ボタンＢ２の押下操作により、分針３を一分ずつ早送りさせることとしたが、早送りの幅は、一分に限られない。例えば、１０秒単位や１５秒単位であっても良い。
【００４８】
また、更に、時針２による設定時刻へ分針３及び秒針４を早送りさせた後、例えば、ボタンＢ２の押下操作により特殊設定状態を解除し、りゅうずＣ１の回転動作に応じて秒針４を１ステップ１秒ずつ移動させる通常の指針移動動作を行わせることとしても良い。或いは、１分送り動作と１秒送り動作の何れも行わせることが可能であっても良い。
【００４９】
また、上記実施の形態では、時針２により設定可能な時間間隔が２分であったが、時針２を０．５度単位で一周合計７２０ステップによる回転移動が可能とすることで、時針２のみによる１分単位の時刻設定を可能とすることも出来る。しかしながら、この場合でも、時針２の位置をユーザが０．５度単位で調整することで時刻を設定するだけではなく、一度時針２により移動先時刻の近くまで移動させた後、分針３や秒針４を移動させて設定することを可能とすることで、容易に正確な時刻の設定を行うことが出来る。
【００５０】
また、分針３と秒針４が連動して回転する構成を例に挙げて説明したが、時針２と分針３が連動して回転する構成において、秒針４を用いて凡その移動先の時刻を設定したり、或いは、２４時間針を備えるアナログ電子時計において、この２４時間針を用いて移動先の時刻を設定したりすることとしても良い。
【００５１】
また、例えば、秒針４と分針３とが連動して回転し、且つ、時針２と日車５とが連動して回転する場合のように、複数の指針によるグループごとにそれぞれ１つずつ備えられたステッピングモータにより指針が連動して移動する構成の場合には、秒針４や時針２といった当該グループ内で回転比率の高い指針を用いて凡その移動先の時刻を設定することも出来る。
【００５２】
また、上記実施の形態では、時針２の移動が所定時間行われない場合には、このときの時針２の位置を移動先の時刻として取得したが、ボタンＢ２の押下や他の操作によりユーザによって明示的に指定された場合に移動先の時刻を取得することとしても良い。
その他、上記実施の形態で示した具体的な構成、数値や手順などの細部は、本発明の趣旨を逸脱しない限りにおいて適宜変更可能である。
【００５３】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５４】
［付記］
＜請求項１＞
複数の指針と、
輪列機構を介して当該複数の指針を回動させる駆動手段と、
ユーザによる入力操作を受け付ける操作手段と、
前記操作手段により受け付けられた入力操作に応じて前記駆動手段に駆動制御信号を出力し、前記複数の指針のうち、所定の一の指針を回動させる第１時刻変更制御手段と、
前記一の指針が指し示す位置に応じた設定時刻を取得する設定時刻取得手段と、
前記複数の指針のうち、時刻の表示に用いられる複数の時刻指針を前記設定時刻に係る指示位置まで連続的に早送りで回動させる早送り制御手段と、
前記操作手段により受け付けられた入力操作に応じて前記駆動手段に駆動制御信号を出力し、前記時刻指針を回動させる第２時刻変更制御手段と
を備えることを特徴とするアナログ電子時計。
＜請求項２＞
前記第２時刻変更制御手段は、前記操作手段が所定の入力操作を受け付けるごとに、前記時刻指針を予め設定された時間ずつ早送り移動させる
ことを特徴とする請求項１記載のアナログ電子時計。
＜請求項３＞
前記駆動手段は、前記複数の指針を所定の単位角度ずつ回動させ、
前記第２時刻変更制御手段が前記時刻指針により表示が可能な時刻の時間間隔は、前記設定時刻取得手段が前記設定時刻として設定可能な時刻の時間間隔より小さい
ことを特徴とする請求項１又は２記載のアナログ電子時計。
＜請求項４＞
前記輪列機構は、前記複数の指針のうち、各々異なる時刻単位の値を指し示す少なくとも二本の時刻指針を互いに連動させる構成を含み、
前記一の指針は、他の指針と連動せずに独立に回動する指針のうち何れかである
ことを特徴とする請求項１〜３の何れか一項に記載のアナログ電子時計。
＜請求項５＞
前記一の指針は、前記連動して回動される時刻指針の何れよりも大きい時刻単位の値を示す時刻指針である
ことを特徴とする請求項４記載のアナログ電子時計。
＜請求項６＞
前記連動して回動される時刻指針は、分針及び秒針であり、
前記一の指針は、時針である
ことを特徴とする請求項５記載のアナログ電子時計。
＜請求項７＞
前記設定時刻取得手段は、前記一の指針が所定時間移動されなかった場合には、当該一の指針の指示位置に応じて前記設定時刻を取得する
ことを特徴とする請求項１〜６の何れか一項に記載のアナログ電子時計。
＜請求項８＞
複数の指針と、
当該複数の指針のうち、各々異なる時刻単位の値を指し示す少なくとも二本の時刻指針を互いに連動させる構成を含む輪列機構を介して前記複数の指針を回動させる駆動手段と、
ユーザによる入力操作を受け付ける操作手段と、
前記操作手段により受け付けられた入力操作に応じて前記駆動手段に駆動制御信号を出力し、前記連動して回動される時刻指針を移動させる第３時刻変更制御手段と、
当該連動して回動される時刻指針のうち、最も小さい時刻単位を示す指針が指し示す位置に応じた設定時刻を取得する設定時刻取得手段と、
前記複数の指針のうち、時刻の表示に用いられる複数の時刻指針を前記設定時刻に係る指示位置まで連続的に早送りで回動させる早送り制御手段と、
前記操作手段により受け付けられた入力操作に応じて前記駆動手段に駆動制御信号を出力し、前記時刻指針を回動させる第２時刻変更制御手段と
を備えることを特徴とするアナログ電子時計。
【符号の説明】
【００５５】
１     アナログ電子時計
２     時針
３     分針
４     秒針
５     日車
６     ケーシング
７     文字盤
８     小窓
３２、３３、３５     輪列機構
４２、４３、４５     ステッピングモータ
４６   ＣＰＵ
４７   ＲＯＭ
４８   ＲＡＭ
４９   駆動回路
５０   電源部
５１   発振回路
５２   分周回路
５３   計時回路
５４   操作部
５５   ドライバ
５６   ピエゾ素子
Ｂ１、Ｂ２    ボタン
Ｃ１   りゅうず
【図１】
2013253786.tif 000003
【図２】
2013253786.tif 000004
【図３】
2013253786.tif 000005
【図４】
2013253786.tif 000006
【図５】
2013253786.tif 000007